(57)【要約】【課題】情報処理装置や情報処理装置に装着された機能拡張デバイスの盗難を効果的に防止することが可能な機能拡張デバイスを提供することを目的とする。【解決手段】ＰＣカード６０は、本体部６０ａと、本体部６０ａと連結しており、かつ、ＰＣカード６０がＰＣカードスロット１０に装着される場合に当該スロットの排出側に位置する拡張部６０ｂと、本体部６０ａと拡張部６０ｂとを連結する連結機構と、を備え、本体部６０ａは、セキュリティモードの場合において、ノート型ＰＣ１の移動、または、ＰＣカード６０の装脱動作の着手を検出した場合には、本体部６０ａの装脱を防止するために、本体部６０ａと拡張部６０ｂの連結を解除する。【選択図】  図３
2011034446.tif 000002
【特許請求の範囲】
【請求項１】
情報処理装置のスロットに挿入して装着される機能拡張デバイスであって、
本体部と、
前記本体部と連結しており、かつ、前記機能拡張デバイスが前記スロットに装着される場合に当該スロットの排出側に位置する拡張部と、
前記本体部と前記拡張部とを連結する連結機構と、
を備え、
前記本体部は、
前記機能拡張デバイスが前記スロットに装着された状態で、前記情報処理装置の移動または前記機能拡張デバイスの装脱動作の着手を検出する検出手段と、
セキュリティモードの場合において、前記検出手段により、前記情報処理装置の移動、または、前記機能拡張デバイスの装脱動作の着手を検出した場合には、前記本体部の装脱を防止するために、前記連結機構に、前記本体部と前記拡張部の連結を解除させる制御手段と、
を含むことを特徴とする機能拡張デバイス。
【請求項２】
前記本体部は、さらに、警告アラームを放音するための放音手段を備え、
前記制御手段は、前記セキュリティモードの場合において、前記検出手段により、前記情報処理装置の移動、または、前記機能拡張デバイスの装脱動作の着手を検出した場合には、前記放音手段に前記警告アラームを放音させることを特徴とする請求項１に記載の機能拡張デバイス。
【請求項３】
前記制御手段は、前記拡張部に設けられたメカスイッチがＯＮの場合、前記情報処理装置から指示がある場合、または外部端末からのメールによる指示がある場合には、前記セキュリティモードを設定することを特徴とする請求項１または請求項２に記載の機能拡張デバイス。
【請求項４】
前記制御手段は、外部端末から異常を通知するメールを受信した場合には、前記本体部の装脱を防止するために、前記連結機構に、前記本体部と前記拡張部の連結を解除させることを特徴とする請求項１〜３のいずれか１つに記載の機能拡張デバイス。
【請求項５】
前記本体部は、前記機能拡張デバイスの各部に電力を供給するためのバッテリ装置を備えたことを特徴とする請求項１〜請求項４のいずれか１つに記載の機能拡張デバイス。
【請求項６】
前記機能拡張デバイスは、ＰＣカードであることを特徴とする請求項１〜請求項５のいずれか１つに記載の機能拡張デバイス。
【請求項７】
前記ＰＣカードは、ＷＷＡＮカードであることを特徴とする請求項６に記載の機能拡張デバイス。
【発明の詳細な説明】
【技術分野】
【０００１】
本発明は、機能拡張デバイスに関し、詳細には、盗難防止機能を備えた機能拡張デバイスに関する。
【背景技術】
【０００２】
近年、ノート型コンピュータやモバイルコンピュータといわれるような携帯に適したサイズのパーソナルコンピュータが広く開発されている。このようなノート型コンピュータやモバイルコンピュータといった携帯に適した携帯型コンピュータは、従来の据置型タイプのコンピュータに比べて小型軽量であるため、それだけ盗難等に遭いやすい。
【０００３】
例えば、特許文献１および非特許文献１では、ノート型コンピュータの盗難を防止するための盗難防止用ＰＣカードが提案されている。かかる盗難防止用ＰＣカードは、加速度センサおよびアラームを備え、当該盗難防止用ＰＣカードをノート型コンピュータに装着し、武装設定をＯＮに設定すると、誰かがノート型コンピュータを持ち出そうとすると、加速度センサでノート型コンピュータの移動を検出し、警告アラームを放音する構成である。
【０００４】
しかしながら、従来技術では、ノート型コンピュータから盗難防止用カードを簡単に抜き出すことが可能であるため、ノート型コンピュータから盗難防止用カードが抜かれた場合には、盗難防止機能を発揮することができないという問題がある。
【０００５】
他方、コンピュータは、機器本体はもとより、この機器本体に装着されるＰＣカードやＨＤＤ等の機能拡張デバイスが盗難に遭うケースが増大している。これらの機能拡張デバイスは、機能拡張や用途に応じて排他使用を可能とする目的があるために、機器本体から容易に取り外せる構造が被害を高める一因となっている。しかしながら、機器本体に装着した機能拡張デバイスに対しては、何等防盗対策が講じられていないのが実情である。
【先行技術文献】
【特許文献】
【０００６】
【特許文献１】米国特許第６９７００９５号明細書
【非特許文献】
【０００７】
【非特許文献１】ｈｔｔｐ：／／ｗｗｗ．ｃａｖｅｏ．ｃｏｍ／ｐｒｏｄｕｃｔｓ／ａｎｔｉ−ｔｈｅｆｔ．ｈｔｍ
【発明の概要】
【発明が解決しようとする課題】
【０００８】
本発明は、上記に鑑みてなされたものであって、情報処理装置や当該情報処理装置に装着された機能拡張デバイスの盗難を効果的に防止することが可能な機能拡張デバイスを提供することを目的とする。
【課題を解決するための手段】
【０００９】
上述した課題を解決し、目的を達成するために、本発明は、情報処理装置のスロットに装着して使用される機能拡張デバイスであって、本体部と、前記本体部と連結しており、かつ、前記機能拡張デバイスが前記スロットに装着される場合に当該スロットの排出側に位置する拡張部と、前記本体部と前記拡張部とを連結する連結機構と、を備え、前記本体部は、前記機能拡張デバイスがスロットに装着された状態で、前記情報処理装置の移動または前記機能拡張デバイスの装脱動作の着手を検出する検出手段と、セキュリティモードの場合において、前記検出手段により、前記情報処理装置の移動、または、前記機能拡張デバイスの装脱動作の着手を検出した場合には、前記本体部の装脱を防止するために、前記連結機構に、前記本体部と前記拡張部の連結を解除させる制御手段と、を含むことを特徴とする。
【００１０】
また、本発明の好ましい態様によれば、前記本体部は、さらに、警告アラームを放音するための放音手段を備え、前記制御手段は、前記セキュリティモードの場合において、前記検出手段で前記情報処理装置の移動、または、前記機能拡張デバイスの装脱動作の着手を検出した場合には、前記放音手段に前記警告アラームを放音させることが望ましい。
【００１１】
また、本発明の好ましい態様によれば、前記制御手段は、前記拡張部に設けられたメカスイッチがＯＮの場合、前記情報処理装置から指示がある場合、または外部端末からのメールによる指示がある場合には、前記セキュリティモードを設定することが望ましい。
【００１２】
また、本発明の好ましい態様によれば、前記制御手段は、外部端末から異常を通知するメールを受信した場合には、前記本体部の装脱を防止するために、前記連結機構に、前記本体部と前記拡張部の連結を解除させることが望ましい。
【００１３】
また、本発明の好ましい態様によれば、前記本体部は、前記機能拡張デバイスの各部に電力を供給するためのバッテリ装置を備えたことが望ましい。
【００１４】
また、本発明の好ましい態様によれば、前記機能拡張デバイスは、ＰＣカードであることが望ましい。
【００１５】
また、本発明の好ましい態様によれば、前記ＰＣカードは、ＷＷＡＮカードであることが望ましい。
【発明の効果】
【００１６】
本発明によれば、情報処理装置のスロットに挿入した装着される機能拡張デバイスであって、本体部と、前記本体部と連結しており、かつ、前記機能拡張デバイスが前記スロットに装着される場合に当該スロットの排出側に位置する拡張部と、前記本体部と前記拡張部とを連結する連結機構と、を備え、前記本体部は、前記機能拡張デバイスがスロットに装着された状態で、前記情報処理装置の移動または前記機能拡張デバイスの装脱動作の着手を検出する検出手段と、セキュリティモードの場合において、前記検出手段により、前記情報処理装置の移動、または、前記機能拡張デバイスの装脱動作の着手を検出した場合には、前記本体部の装脱を防止するために、前記連結機構に、前記本体部と前記拡張部の連結を解除させる制御手段と、を含むこととしたので、情報処理装置に装着された機能拡張デバイスの盗難を効果的に防止することが可能な機能拡張デバイスを提供することが可能となるという効果を奏する。
【図面の簡単な説明】
【００１７】
【図１】図１は、本実施の形態に係るノート型ＰＣの概略の外観図である。
【図２】図２は、ノート型ＰＣの概略的なハードウェア構成図である。
【図３】図３は、ＰＣカードの概略の構成を示す模式図（連結状態）である。
【図４】図４は、ＰＣカードの概略の斜視図（連結解除状態）である。
【図５】図５は、ＰＣカードの概略の構成を示す模式図（連結解除状態）である。
【図６−１】図６−１は、ノート型ＰＣおよびＰＣカードの盗難を防止する方法を説明するための図である（その１）。
【図６−２】図６−２は、ノート型ＰＣおよびＰＣカードの盗難を防止する方法を説明するための図である（その２）。
【図６−３】図６−３は、ノート型ＰＣおよびＰＣカードの盗難を防止する方法を説明するための図である（その３）。
【図７】図７は、ＰＣカードのコントローラによる盗難防止処理を説明するためのフローチャートである。
【発明を実施するための形態】
【００１８】
以下に、この発明にかかる機能拡張デバイスの実施の形態を図面に基づいて詳細に説明する。なお、この実施の形態によりこの発明が限定されるものではない。また、下記実施の形態における構成要素には、当業者が容易に想定できるものまたは実質的に同一のものが含まれる。以下では、本発明の機能拡張デバイスの一例としてＰＣカードについて説明する。
【００１９】
（実施の形態）
図１は、本実施の形態に係るノート型ＰＣの概略の外観図である。本実施の形態に係るノート型ＰＣ１は、図１に示すように、略直方体である本体側筐体２およびディスプレイ側筐体３を備えている。本体側筐体２およびディスプレイ側筐体３は、それぞれの端部で左右の一対の連結部（ヒンジ部）７ａ、７ｂによって連結されており、連結部７ａ、７ｂは、これらの筐体を開閉自在に支持している。
【００２０】
ディスプレイ側筐体３は、本体側筐体２からの指令に応じて、各種の情報が表示される表示デバイス５を備えている。本体側筐体２は、その上面に、キーボードおよびトラックポイント（ポインティング・デバイス）等を有する入力部４を備えている。また、本体側筐体２は、その右側面に、機能拡張デバイスであるＰＣカード６０を装着可能なＰＣカードスロット１０を備えている。このＰＣカードスロット１０にＰＣカード６０を挿入すると、公知のロック機構（不図示）でＰＣカード６０がロックされ、ＰＣカードスロット１０にＰＣカード６０が装着される。拡張部６０ｂは、ＰＣカード６０がＰＣカードスロットに装着される場合にＰＣカードスロット１０の排出側に位置する。ＰＣカード６０の装脱時には、イジェクトボタン１０ａを押すと、ＰＣカード６０に対するロック機構のロックが解除されて、ＰＣカードスロット１０からＰＣカード６０が一部突出し、ユーザはＰＣカード６０を抜き出すことが可能となっている。ＰＣカードスロット１０およびイジェクトボタン１０ａの機構は、公知の機構を使用することができるため、その詳細な説明は省略する。
【００２１】
本実施の形態では、ＰＣカード６０は、盗難防止機能を備えており、ノート型ＰＣ１の移動の検出機能およびアラームの放音機能等を備えた本体部６０ａと、当該本体部６０ａに連結した拡張部６０ｂとを備えている。ＰＣカード６０は、セキュリティモードでは、ノート型ＰＣ１の移動やＰＣカード６０の装脱の着手を検出すると、警告アラームを放音すると共に、ＰＣカード６０の本体部６０ａと拡張部６０ｂとの連結を解除して、拡張部６０ｂのみが装脱可能となる。これにより、窃盗者が、ＰＣカード６０全体を装脱して、アラーム音を停止することを防止することができる。また、ＰＣカード６０自体の盗難を防止することができる。
【００２２】
図２は、ノート型ＰＣ１の概略的なハードウェア構成図である。図２に示すノート型ＰＣ１において、ＣＰＵ１１は、プログラム制御により種々の演算処理を実行し、ノート型パソコン１全体を制御している。ＣＰＵ１１は、システムバスであるＦＳＢ（Ｆｒｏｎｔ  Ｓｉｄｅ  Ｂｕｓ）１２、高速のＩ／Ｏ装置用バスとしてのＰＣＩ（Ｐｅｒｉｐｈｅｒａｌ  Ｃｏｍｐｏｎｅｎｔ  Ｉｎｔｅｒｃｏｎｎｅｃｔ）バス２０、低速のＩ／Ｏ装置用バスとしてのＩＳＡ（Ｉｎｄｕｓｔｒｙ  Ｓｔａｎｄａｒｄ  Ａｒｃｈｉｔｅｃｔｕｒｅ）バス４０という３段階のバスを介して、各構成要素と相互接続されている。このＣＰＵ１１は、主記憶の内容の一部を例えばＳＲＡＭに蓄えるキャッシュメモリを採用しており、キャッシュメモリにプログラム・コードやデータを蓄えることで、処理の高速化を図っている。近年では、ＣＰＵ１１の内部に１次キャッシュとして１２８Ｋバイト程度のＳＲＡＭを集積させているが、記憶容量の不足を補うために、専用バスであるＢＳＢ（Ｂａｃｋ  Ｓｉｄｅ  Ｂｕｓ）１３を介して、５１２Ｋ〜２Ｍバイト程度の外部のキャッシュである２次キャッシュ１４を置いている。尚、ＢＳＢ１３を省略し、ＦＳＢ１２に２次キャッシュ１４を接続して端子数の多いパッケージを避けることで、コストを低く抑えることも可能である。  
【００２３】
ＦＳＢ１２とＰＣＩバス２０は、メモリ／ＰＣＩチップと呼ばれるＣＰＵブリッジ（ホスト−ＰＣＩブリッジ）１５によって連絡されている。このＣＰＵブリッジ１５は、メインメモリ１６へのアクセス動作を制御するためのメモリコントローラ機能や、ＦＳＢ１２とＰＣＩバス２０との間のデータ転送速度の差を吸収するためのデータバッファ等を含んだ構成となっている。メインメモリ１６は、ＣＰＵ１１の実行プログラムの読み込み領域として、あるいは実行プログラムの処理データを書き込む作業領域として利用される書き込み可能メモリである。例えば、複数個のＤＲＡＭチップで構成される。この実行プログラムには、ＡＣＰＩ（Advanced  Configuration  and  Power  Interface）に基づく電力制御が可能なＯＳ（例えば、Ｗｉｎｄｏｗｓ（登録商標）  ＸＰ、ｖｉｓｔａ）、周辺機器類をハードウェア操作するための各種ドライバ、ユーティリティプログラム、特定業務を実行するためのアプリケーションプログラム等が含まれる。これら実行プログラムは、マスタＨＤＤ３０に格納されている。  
【００２４】
ビデオサブシステム１７は、画像表示に関連する機能を実現するためのサブシステムであり、ビデオコントローラを含んでいる。このビデオコントローラは、ＣＰＵ１１からの描画命令を処理し、処理した描画情報をビデオメモリに書き込むと共に、ビデオメモリからこの描画情報を読み出して、液晶ディスプレイ（ＬＣＤ）等の表示デバイス５に描画データとして出力している。  
【００２５】
ＰＣＩバス２０は、比較的高速なデータ転送が可能なバスである。このＰＣＩバス２０には、Ｉ／Ｏブリッジ（サウスブリッジまたはＩ／Ｏハブとも称す）２１、ＰＣカードコントローラ２２、オーディオサブシステム２５、ドッキングステーションインターフェイス（Ｄｏｃｋ  Ｉ／Ｆ）２６等が接続される。  
【００２６】
Ｉ／Ｏブリッジ２１は、ＰＣＩバス２０とＩＳＡバス４０とのブリッジ機能を備えた制御回路であり、ＤＭＡコントローラ機能、プログラマブル割り込みコントローラ（ＰＩＣ）機能、プログラマブル・インターバル・タイマ（ＰＩＴ）機能、ＩＤＥ（Ｉｎｔｅｇｒａｔｅｄ  Ｄｅｖｉｃｅ  Ｅｌｅｃｔｒｏｎｉｃｓ）やＳＡＴＡ（Ｓｅｒｉａｌ  Ａｄｖａｎｃｅｄ  Ｔｅｃｈｎｏｌｏｇｙ  Ａｔｔａｃｈｍｅｎｔ）のインターフェイス機能、ＵＳＢ（Ｕｎｉｖｅｒｓａｌ  Ｓｅｒｉａｌ  Ｂｕｓ）機能、ＳＭＢ（Ｓｙｓｔｅｍ  Ｍａｎａｇｅｍｅｎｔ  Ｂｕｓ）インターフェイス機能等の諸機能を備え、リアルタイムクロック（ＲＴＣ）を内蔵している。また、ノート型パソコン１の各装置への供給電力の管理（パワーマネージメント）を行う。  
【００２７】
ＤＭＡコントローラ機能は、周辺機器（例えばＦＤＤ（フレキシブルディスク）ドライブ）とメインメモリ１６との間のデータ転送をＣＰＵ１１の介在なしに実行するための機能である。ＰＩＣ機能は、周辺機器からの割り込み要求（ＩＲＱ）に応答して、所定のプログラム（割り込みハンドラ）を実行させる機能である。ＰＩＴ機能は、タイマ信号を所定周期で発生させる機能であり、その発生周期はプログラマブルである。ＩＤＥインターフェイス機能によって実現されるインターフェイスは、ＩＤＥハードディスクドライブ（マスタＨＤＤ３１）が接続される。また、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）インターフェイス機能によりＳＡＴＡ仕様のベイデバイス５が接続可能となっている。ベイデバイス３５はノート型パソコン１の本体側筐体２内に設けられるベイ３５（図１において不図示）に収納され、ＳＡＴＡコネクタ３４を介して、Ｉ／Ｏブリッジ２１と接続される。
【００２８】
また、Ｉ／Ｏブリッジ２１にはＵＳＢポート（不図示）が設けられており、ＵＳＢコネクタ(不図示)と接続されている。さらに、Ｉ／Ｏブリッジ２１には、ＳＭバスを介してＥＥＰＲＯＭ（不図示）が接続されている。このＥＥＰＲＯＭは、ＢＩＯＳ（Ｂａｓｉｃ  Ｉｎｐｕｔ／Ｏｕｔｐｕｔ  Ｓｙｓｔｅｍ：基本入出力システム）、エンベデッド・コントローラ４１を制御するためのプログラム、ユーザによって登録されたパスワードやスーパーバイザーパスワード、製品シリアル番号等の情報を保持するためのメモリであり、不揮発性で記憶内容を電気的に書き換え可能である。  
【００２９】
ＰＣカードコントローラ２２は、ＰＣＩバス２０のバスシグナルをＰＣカードスロット１０のインターフェイスコネクタ（カードバス）に直結させるための専用コントローラでる。ＰＣカードコントローラ２２は、ノート型ＰＣ１（以下、「ホスト」ともいう）側とＰＣカード６０との間でのシグナルの授受を可能にするためのコントローラ・チップであり、ＰＣカード６０のレジスタやＩ／Ｏ空間を低レベルで（すなわち電気的に）制御するようになっている。このＰＣカードスロット１０には、ＰＣカード６０を装填することが可能である。
【００３０】
ドッキングステーションインターフェイス２６は、機能拡張装置であるドッキングステーション（図示せず）を接続するためのハードウェアである。  
【００３１】
ＩＳＡバス４０は、ＰＣＩバス２０よりもデータ転送速度が低いバスである。このＩＳＡバス４０には、エンベデッド・コントローラ４１、フラッシュＲＯＭ４４、Ｓｕｐｅｒ  Ｉ／Ｏコントローラ４５が接続されている。さらに、キーボード／マウスコントローラのような比較的低速で動作する周辺機器類を接続するためにも用いられる。このＳｕｐｅｒ  Ｉ／Ｏコントローラ４５にはＩ／Ｏポート４６が接続されており、ＦＤＤの駆動やパラレルポートを介したパラレルデータの入出力（ＰＩＯ）、シリアルポートを介したシリアルデータの入出力（ＳＩＯ）を制御している。  
【００３２】
エンベデッド・コントローラ４１は、キーボードやタッチパッド（不図示）の入力部４のコントロールを行うと共に、電源回路５０に接続されて、内蔵されたパワー・マネージメント・コントローラ（ＰＭＣ：Ｐｏｗｅｒ  Ｍａｎａｇｅｍｅｎｔ  Ｃｏｎｔｒｏｌｌｅｒ）によってゲートアレイロジックと共に電源管理機能の一部を担う制御回路である。
【００３３】
図３は、ＰＣカード６０の概略の構成を示す模式図であり、本体部６０ａと拡張部６０ｂが連結している状態を示している。図４は、ＰＣカード６０の概略の斜視図であり、本体部６０ａと拡張部６０ｂの連結が解除された状態を示している。図５は、ＰＣカード６０の概略の構成を示す模式図であり、本体部６０ａと拡張部６０ｂの連結が解除された状態を示している。本実施の形態では、ＰＣカード６０の一例として、ＷＷＡＮ（Ｗｉｒｅｌｅｓｓ  ＷＡＮ）カードを使用した場合について説明する。本実施の形態のＷＷＡＮカードは、３Ｇ等の規格に準拠しているものとする。
【００３４】
図３および図４に示すように、ＰＣカード６０は、本体部６０ａと、本体部６０ａに対して連結可能に構成された拡張部６０ｂとで構成されている。本体部６０ａは、コントローラ６１と、バッテリ回路６２と、加速度センサ６４と、スピーカー６５と、アクチュエータ６６と、ＷＷＡＮ部６７と、１対のフック６８とを備えている。拡張部６０ｂは、スイッチ６９と、一対の溝７１とを備えている。
【００３５】
バッテリ回路６２は、２次電池や充電回路等を備え、ホスト側から供給される電力で、２次電池の充電を行う。ＰＣカード６０は、ホスト側からの電力が供給されている状態では、ホスト側から供給される電力で各部が動作し、ホスト側から電力が供給されない状態では、バッテリ回路６２が供給する電力で各部が動作する。
【００３６】
イジェクト検出部６３は、ＰＣカード６０の装脱動作の着手を検出するために、PCカードスロット１０側からの電源供給の切断を検出して、検出信号をコントローラ６１に出力する。加速度センサ６４は複数軸方向（Ｘ，Ｙ，Ｚ等）の加速度を検出して、加速度情報としてコントローラ６１に出力する。スピーカー６５は、コントローラ６１の指示に応じて、警告アラームを放音する。
【００３７】
１対のフック６８は、本体部６０ａの短手方向に移動可能に構成されており、アクチュエータ６６により駆動される。アクチュエータ６６は、コントローラ６１の指示に応じて、１対のフック６８を短手方向に移動させる。具体的には、アクチュエータ６１は、コントローラ６１から連結指示が入力された場合には、１対のフック６０をそれぞれ短手方向の外側方向に移動させて、拡張部６０ｂの１対の溝７１に係合させて、本体部６０ａと拡張部６０ｂを連結状態とする。他方、アクチュエータ６１は、コントローラ６１から連結解除指示が入力された場合には、図５に示すように、１対のフック６８をそれぞれ短手方向の内側方向に移動させて、１対の溝７１との係合状態を解除して、本体部６０ａと拡張部６０ｂとの連結を解除する。本体部６０ａと拡張部６０ｂとは、通常状態では連結されている。
【００３８】
ＷＷＡＮ部６７は、基地局を介して、ネットワークに接続された端末とデータ通信を行い、例えば、携帯電話等とＳＭＳでデータ通信を行うことが可能となっている。
【００３９】
コントローラ６１は、ＣＰＵ、ＲＯＭ、ＲＡＭ、Ａ／Ｄ変換器、Ｄ／Ａ変換器、およびポート等で構成されており、ＰＣカード６０の各部の動作を制御する。コントローラ６１は、セキュリティモードの実行を制御し、セキュリティモードの場合において、加速度センサ６４の検出信号に基づいてノート型ＰＣ１の移動を検出した場合やイジェクト検出部６３でイジェクト操作を検出した場合には、ノート型ＰＣ１やＰＣカード６０の盗難と判断して、スピーカー６５からアラーム音を放音させると共に、アクチュエータ６６に、本体部６０ａと拡張部６０ｂの連結を解除させる（図５参照）。コントローラ６１は、例えば、加速度情報の瞬時値や所定時間内の平均値が閾値ｔｈ以上となった場合に、ノート型ＰＣ１の移動と判定することができる。
【００４０】
スイッチ６９は、ユーザがセキュリティモードのＯＮ／ＯＦＦを設定するための機械式スイッチである。一対の溝７１は、フック６８と係合させるための溝であり、一対の溝７１にフック６８が係合した状態では、本体部６０ａから拡張部６０ｂの取り外しができなくなっている。
【００４１】
上記構成において、一対のフック６８，アクチュエータ６６，および一対の溝７１は、連結機構として機能し、加速度センサ６４，イジェクト検出部６３、およびコントローラ６１は、検出手段として機能し、スピーカー６５は、放音手段として機能し、コントローラ６１は、制御手段として機能する。
【００４２】
図６−１〜図６−３を参照して、ノート型ＰＣ１およびＰＣカード６０の盗難を防止する方法を説明する。図６−１に示すように、ＰＣカード６０をノート型ＰＣ１に装着している状態で、ユーザは、スイッチ６９のＯＮ、ノート型ＰＣ１側のアプリケーションからの指示、および携帯電話等からＳＭＳによる指示で、ＰＣカード６０をセキュリティモードに設定することができる。
【００４３】
セキュリティモードが設定されている状態で、例えば、窃盗者がノート型ＰＣ１を持ち出そうとすると、ＰＣカード６０では、加速度センサ６４がノート型ＰＣ１の移動を検出すると、スピーカー６５は、警告アラームを放音すると共に、アクチュエータ６６は、本体部６０ａと拡張部６０ｂの連結を解除する。窃盗者が、例えば、図６−２に示すように、警告アラームを停止させるために、ＰＣカード６０を抜き出そうとして、イジェクトボタン１０ａを操作して、ＰＣカードスロット１０からＰＣカード６０の一部を突出させ、ＰＣカード６０を抜き出す操作を行うと、本体部６０ａと拡張部６０ｂの連結が解除されているため、図６−３に示すように、ＰＣカード６０の拡張部６０ｂだけが抜ける。本体部６０aは、ＰＣカードスロット１０に収容されたままであるので、警告アラームは鳴り続けるため、ノート型ＰＣ１の盗難を防止することができる。
【００４４】
セキュリティモードが設定されている状態で、例えば、窃盗者がＰＣカード６０を持ち去ろうとして、図６−２に示すように、イジェクトボタン１０ａを操作してＰＣカードスロット１０からＰＣカード６０の一部を突出させようとすると、ＰＣカード６０では、イジェクト検出部６３が、当該ＰＣカード６０のイジェクト操作を検出すると、スピーカー６５は、警告アラームを放音すると共に、アクチュエータ６６は、本体部６０ａと拡張部６０ｂの連結を解除する。窃盗者が、ＰＣカード６０を抜き出そうとすると、本体部６０ａと拡張部６０ｂの連結が解除されているため、図６−３に示すように、ＰＣカード６０の拡張部６０ｂだけが抜ける。本体部６０aは、ＰＣカードスロット１０に収容されたままであるので、警告アラームは鳴り続け、ＰＣカード６０の高価な部分である本体６０ａの盗難を防止することができる。
【００４５】
図７は、ＰＣカード６０のコントローラ６１による盗難防止処理を説明するためのフローチャートである。コントローラ６１は、図７に示す盗難防止処理を所定周期で繰り返し実行する。図７において、まず、コントローラ６１は、セキュリティ動作実行指示があるか否かを判断する（ステップＳ１）。ここで、セキュリティ動作実行指示は、例えば、携帯電話等が送出するセキュリティ動作実行を指示するＳＭＳ  Ｃｏｍｍａｎｄ等である。コントローラ６１は、セキュリティ動作実行指示がある場合には（ステップＳ１の「Ｙｅｓ」）、セキュリティ動作を実行し、スピーカー６５から警告アラームを所定期間、放音させると共に、アクチュエータ６６に本体部６０ａと拡張部６０ｂの連結を解除させる（ステップＳ６）。例えば、ノート型ＰＣ１の所有者が、当該ノート型ＰＣ１の盗難に気づいた場合に、携帯電話等からＰＣカード６０にセキュリティ動作実行を指示するＳＭＳ  Ｃｏｍｍａｎｄを送出し、セキュリティ動作を実行させることができる。
【００４６】
コントローラ６１は、セキュリティ動作実行指示がない場合には（ステップＳ１の「Ｎｏ」）、セキュリティモードの設定指示があるか否かを判断する（ステップＳ２）。ここで、セキュリティモードの設定指示は、例えば、拡張部６０ｂのスイッチ６９がＯＮの場合、ノートＰＣ本体１側からセキュリティモードの設定指示のＣｏｍｍａｎｄが入力された場合、携帯電話等からセキュリティモード設定のＳＭＳ  Ｃｏｍｍａｎｄを受信した場合、ノート型ＰＣ１の電源がＯＦＦの場合等である。ノート型ＰＣの所有者は、ＰＣカード６０のスイッチ６９をＯＮにすることでセキュリティモードを設定することができる。また、ノート型ＰＣ１の所有者は、ノート型ＰＣ１に搭載されたアプリケーションプログラムからセキュリティモードの設定指示を入力することができる。また、ノート型ＰＣの所有者は、携帯電話等からノート型ＰＣ１にセキュリティモード設定のＳＭＳ  Ｃｏｍｍａｎｄを送信してセキュリティモードを設定することができる。さらに、ノート型ＰＣ（本体）１の電源がＯＦＦの場合にセキュリティモードを設定してもよい。
【００４７】
コントローラ６１は、セキュリティモードの設定指示がない場合には（ステップＳ２の「Ｎｏ」）、当該フローを終了する。他方、コントローラ６１は、セキュリティモードの設定指示がある場合には（ステップＳ２の「Ｙｅｓ」）、セキュリティモードを設定し（ステップＳ３）、加速度センサ６４からの検出信号に基づいて、ノート型ＰＣ１が移動したか否かを判断する（ステップＳ４）。コントローラ６１は、ノート型ＰＣ１が移動したと判断した場合には（ステップＳ４の「Ｙｅｓ」）、ステップＳ６に移行して、セキュリティ動作を実行し、スピーカー６５から警告アラームを所定期間、放音させると共に、アクチュエータ６６に本体部６０ａと拡張部６０ｂの連結を解除させる。
【００４８】
他方、コントローラ６１は、ノート型ＰＣ１が移動していないと判断した場合には（ステップＳ４の「Ｎｏ」）、イジェクト検出部６３からの検出信号に基づいて、ＰＣカード６０のイジェクト操作が行われたか否かを判断する（ステップＳ５）。コントローラ６１は、イジェクト操作が実行されていないと判断した場合には（ステップＳ５の「Ｎｏ」）、当該フローを終了する一方、イジェクト操作が実行されたと判断した場合には（ステップＳ５の「Ｙｅｓ」）、ステップＳ６に移行して、セキュリティ動作を実行し、スピーカー６５から警告アラームを所定期間、放音させると共に、アクチュエータ６６に本体部６０ａと拡張部６０ｂの連結を解除させる。
【００４９】
なお、上記ステップＳ６のセキュリティ動作では、ＷＷＡＮ部６７から予め登録されている携帯電話等にＳＭＳで盗難の危険にある旨を通知することにしてもよい。また、警告アラームが放音されている場合に、ノート型ＰＣ１からのパスワード入力や予め登録されている携帯電話等のＳＭＳで解除可能な構成としてもよい。
【００５０】
以上説明したように、本実施の形態によれば、ＰＣカード６０は、本体部６０ａと、本体部６０ａと連結しており、かつ、ＰＣカード６０がＰＣカードスロット１０に装着される場合に当該スロットの排出側に位置する拡張部６０ｂと、本体部６０ａと拡張部６０ｂとを連結する連結機構と、を備え、本体部６０ａは、セキュリティモードの場合において、加速度センサ６４でノート型ＰＣ１の移動、または、イジェクト検出部６３でＰＣカード６０の装脱動作の着手を検出した場合には、本体部６０ａの装脱を防止するために、本体部６０ａと拡張部６０ｂの連結を解除することとしたので、窃盗者は、拡張部６０ｂのみ抜き出すことができ、本体部６０ａを抜き出すことができないため、ノート型ＰＣに装着されたＰＣカードの盗難を効果的に防止することが可能となる。
【００５１】
また、本実施の形態によれば、本体部６０ａは、セキュリティモードの場合において、
加速度センサ６４でノート型ＰＣ１の移動、または、イジェクト検出部６３でＰＣカード６０の装脱動作の着手を検出した場合には、スピーカー６５から警告アラームを放音させることとしたので、警告アラームで窃盗者がノート型ＰＣを盗むのを防止することが可能となる。また、警告アラームが鳴っている場合に、窃盗者が、ＰＣカードを抜き出して、警告アラームを停止させようとしても、拡張部しか抜き出すことはできないので、ＰＣカードの抜き出しによる警告アラーム停止を防止することが可能となる。
【００５２】
また、本実施の形態によれば、本体部６０ａは、拡張部６０ｂに設けられたメカスイッチ６９がＯＮの場合、ノート型ＰＣ１の本体側から指示がある場合、または外部端末からのメールによる指示がある場合には、セキュリティモードを設定することとしたので、ユーザが簡単にセキュリティモードを設定することが可能となる。
【００５３】
また、本実施の形態によれば、外部端末から異常を通知するメールを受信した場合には、本体部６０ａの装脱を防止するために、本体部６０ａと拡張部６０ｂの連結を解除させることとしたので、情報処理装置の所有者が遠くにいる場合でも、ノート型ＰＣに装着されたＰＣカードの盗難を効果的に防止することが可能となる。
【００５４】
なお、本実施の形態では、機能拡張デバイスとしてＰＣカードについて説明したが、本発明はこれに限られるものではなく、情報処理装置のスロットに挿入して装着される他のカード、ＨＤＤ、およびバッテリ等の他の機能拡張デバイスにも適用可能である。また、ＷＷＡＮカードについて説明したが、メモリカード等の他のＰＣカードにも適用可能である。
【００５５】
また、上記実施の形態では、情報処理装置として、ノート型ＰＣを例示して説明したが、本発明はこれに限られるものではなく、ＰＤＡ等のスロットを備えた他の情報処理装置に適用可能である。
【産業上の利用可能性】
【００５６】
以上のように、本発明にかかる機能拡張デバイスは、情報処理装置や機能拡張デバイスの盗難を防止する場合に有用である。
【符号の説明】
【００５７】
１  ノート型ＰＣ
２  本体側筐体
３  モニタ側筐体
４  入力部
５  表示デバイス
７  連結部（ヒンジ）
１０  ＰＣカードスロット
１０ａ  イジェクトボタン
１１  ＣＰＵ
１２  ＦＳＢ
１３  ＢＳＢ
１４  ２次キャッシュ
１５  ＣＰＵブリッジ（ホスト−ＰＣＩブリッジ）
１６  メインメモリ
１７  ビデオサブシステム
１８  モニタ
２０  ＰＣＩバス
２１  Ｉ／Ｏブリッジ
２２  ＰＣカードコントローラ
２６  ドッキングステーションインターフェイス（Ｄｏｃｋ  Ｉ／Ｆ）
３０  マスタＨＤＤ
３４  コネクタ
３５  ベイ
３６  ベイデバイス
４０  ＬＰＣ（ＩＳＡ）バス
４１  エンベデッド・コントローラ
４４  フラッシュＲＯＭ
４５  Ｓｕｐｅｒ  Ｉ／Ｏコントローラ
４６  Ｉ／Ｏポート
５０  電源回路
６０  ＰＣカード
６０ａ  本体部
６０ｂ  拡張部
６１  コントローラ
６２  バッテリ回路
６３  イジェクト検出部
６４  加速度センサ
６５  スピーカー
６６  アクチュエータ
６７  ＷＷＡＮ部
６８  フック
６９  スイッチ
７１  溝
【図１】
2011034446.tif 000003
【図２】
2011034446.tif 000004
【図３】
2011034446.tif 000005
【図４】
2011034446.tif 000006
【図５】
2011034446.tif 000007
【図６−１】
2011034446.tif 000008
【図６−２】
2011034446.tif 000009
【図６−３】
2011034446.tif 000010
【図７】
2011034446.tif 000011